(57)【特許請求の範囲】
【請求項１】
変速駆動される主駆動軸（４０）と、該主駆動軸の回転を減速して左右の走行駆動軸（３７Ｌ，３７Ｒ）に対し伝達するための左右の遊星歯車装置（４１Ｌ，４１Ｒ）を具備し、該遊星歯車装置（４１Ｌ，４１Ｒ）は、主駆動軸により回転駆動される太陽歯車（６７）、該太陽歯車の外周側に配置され内歯々車（６８）を形成するリング（７１）、各走行駆動軸に固定したキャリア（６９）に回転可能に軸支され太陽歯車及び内歯々車に対し噛合されている複数個の遊星歯車（７０）により構成し、
前記左右のリング（７１，７１）と一体回転する左右のウォームホィール（７３，７３）を設け、該ウォームホィール（７３，７３）と噛合する左右のウォームギヤ（８３，８３）を設け、
該ウォームギヤ（８３，８３）が一体回転する左右の伝動軸（８２，８２）に傘歯車（８５・８５）を配置し、
該傘歯車（８５・８５）と噛合する他の傘歯車（８４・８４）を、共通の駆動軸（７８）に設けた伝動装置（７６）であって、
該共通の駆動軸（７８）は、前記走行駆動軸（３７Ｌ，３７Ｒ）と並行で、かつその両側に前記傘歯車（８４，８４）を備えると共に、該傘歯車間に、可逆転回転駆動装置（３２；１０３）と連動連結する歯車（８１）を備えたことを特徴とするクローラ式車両の走行旋回駆動装置。
【発明の詳細な説明】
【０００１】
【産業上の利用分野】
この発明はコンバイン等のクローラ式車両において、車両の走行駆動及び旋回のために用いられる走行装置に、関するものである。
【０００２】
【発明の背景】
クローラ式作業車両の旋回を、走行駆動機構により左右のクローラに対し積極的に回転数差を与えて行わせることとした技術が特公昭５４−３４９７２号公報、特開平６−３４３３３２号公報、特公平７−２４６８号公報等から公知である。
これらの公報に開示された従来技術は可逆転無段変速装置、つまり汎用されている油圧伝動装置とか実公昭４９−２６０３７号公報、特開昭５６−１８１５０号公報、特開昭５９−１９０５５６号公報等から周知である摩擦機械式等の他の可逆転無段変速装置を、２組利用して左右のクローラを各別に駆動することとしている。
【０００３】
この従来技術によれば左右の可逆転無段変速装置の回転方向を含めて出力回転数を互いに変更して車両の任意の旋回半径での旋回を得ることが容易であるが、逆に左右各別の可逆転無段変速装置を用いた走行駆動によることから、車両の直進性を確保するために複雑な制御装置を必要としていた。
すなわち左右のクローラを各別の無段変速装置によって駆動する構造によると、車両の荷重の左右のアンバランス、圃場面の走行抵抗の左右のアンバランス等により左右のクローラの等速回転が得難く、このため左右の回転数差を検出して補正する等の複雑な制御装置を必要としていたのである。
【０００４】
また上述の技術に類似の旋回方式は、車速を有段に変更することとした作業車両には適用できない。何故なら左右各別の有段変速機構を設けるようなトランスミッションは、コストの面でおよそ実用的ではないからである。
【０００５】
この発明の主たる目的とするところはコンパクトな構造で大幅な減速が可能である遊星歯車式の減速機構を、走行駆動系路中に配置する構成を利用して、車速を無段に変更制御することとした場合にも有段に変更制御することとした場合にも、上述の従来技術によるのと同様に車両の任意の旋回半径での旋回を得ることを容易としてある、クローラ式車両の新規な走行装置を提供するにある。
【０００６】
そのためにこの発明は左右の遊星歯車式減速機構において内歯々車を形成する左右のリングに対し回転方向を含めて無段に変更可能である回転を、左右互いに逆方向で与えることで遊星歯車式減速機構の出力回転数を左右で異ならせることにより、左右のクローラに回転数差を与えて車両の旋回を得ようとするものである。
この発明の他の主要な目的は、上記した左右のリングを車両旋回のために互いに逆方向に回転させるための駆動機構を、車両の直進中には上記左右のリングを確実に回転不能にロックするものとして、左右の走行負荷が大きくアンバランスする状態の下でも車両の直進性が損なわれないように図ってある、クローラ式車両の新規な走行装置を提供するにある。
【０００７】
【発明の要約】
この発明に係る作業車両の走行装置は、変速駆動される主駆動軸４０、該主駆動軸の回転を減速して左右の走行駆動軸３７Ｌ，３７Ｒに対し伝達するための左右の遊星歯車装置４１Ｌ，４１Ｒであって、それぞれが主駆動軸により回転駆動される太陽歯車６７、該太陽歯車の外周側に配置され内歯々車６８を形成するリング７１、各走行駆動軸に固定したキャリア６９に回転可能に軸支され太陽歯車及び内歯々車に対し噛合されている複数個の遊星歯車７０を備え、上記各リング７１を回転可能に支持してある左右の遊星歯車装置４１Ｌ，４１Ｒ、出力回転数を無段に変更可能な可逆転回転駆動装置３２；１０３、及び該可逆転回転駆動装置を左右の遊星歯車装置における左右の上記リング７１に対し、該左右のリングを互いに逆方向に回転させるように連動連結する伝動装置７６であって、上記左右のリングと一体回転する左右のウォームホィール７３と該左右のウォームホィールに対し噛合されこれらのウォームホィールを回転駆動する左右のウォームギヤ８３を備えた伝動装置７６、を備えたものに、構成される。
【０００８】
上記した主駆動軸４０は、無段に変速駆動されるものであっても有段に変速駆動されるものであってもよく、この発明は車速を無段に変更制御することとする作業車両にも有段に変更制御することとする作業車両にも適用できるが、そのような主駆動軸４０によって左右の走行駆動軸３７Ｌ，３７Ｒ、したがって左右のクローラを駆動することとしているから、この発明によれば他の制御手段を必要とすることなしに車両の直進性が確保される。
【０００９】
車両の旋回は可逆転回転駆動装置３２；１０３により伝動装置７６を介し左右のリング７１に対し互いに逆方向の回転を与えることにより、該リングの内歯々車６８に噛合う遊星歯車７０の公転速度、したがって遊転歯車の公転を走行駆動軸３７Ｌ，３７Ｒに伝達することとなるキャリア６９の回転速度が、一側のキャリアについては増速され他側のキャリアについては減速されることになるから、主駆動軸４０により等速回転せしめられている左右の走行駆動軸３７Ｌ，３７Ｒに対し回転数差が与えられることになり、これによって左右のクローラに回転数差が与えられることによって、達成される。
この車両旋回は可逆転回転駆動装置が出力回転数を無段に変更可能であることから、車両の前進中にも後進中にも任意の方向に任意の旋回半径で行わせることができる。
【００１０】
車両の旋回のために左右のリング７１を互いに逆方向に回転させることとする伝動装置７６を、左右のリング７１と一体回転する左右のウォームホィール７３と該ウォームホィールに噛合されてそれを回転駆動する左右のウォームギヤ８３とから成る左右のウォーム伝動機構を備えたものに構成しているから、ウォームホィールからウォームギヤへの動力伝達が不可能である事実に基づいてリング７１から伝動装置７６側に動力伝達が行われることはなく、車両を直進させている状態では左右のリング７１が確実に回転不能にロックされる。
したがって車両の左右の走行負荷が極端にアンバランスする状態、例えば傾斜地を横切る方向に車両を走行させているとか、圃場内で左右クローラが接触する圃場面にぬかるみ度或は凹凸度の大きな左右のアンバランスがあるとき、コンバインにおいて機体上の一側に片寄せ配置されている穀粒タンクに作業の進行につれ多量の穀粒が貯留され機体の左右バランスが大きく崩れたとき等、にも走行負荷が大きい側のリング７１から伝動装置７６を介し走行負荷が小さい側のリング７１に対し回転が伝えられて車両の直進性が不安定となるような現象は、起き得ないこととなる。
【００１１】
左右のウォーム伝動機構を備えた伝動装置７６を、簡単な構造で左右のリング７１を互いに逆回転駆動するものに構成するには該伝動装置７６に、前記可逆転回転駆動装置３２；１０３によって回転駆動される駆動軸７８と前記左右のウォームギヤ８３と一体回転する左右の伝動軸８２とを設け、該駆動軸と左右の伝動軸間を左右の傘歯車伝動機構８６によって、左右の伝動軸が互いに逆方向に回転せしめられるように連動連結するのが、好ましい。
本構造は逆転用のアイドラ歯車を設ける構造と対比して部品点数が少なく、組立てを簡単とする。
【００１２】
左右の遊星歯車装置４１Ｌ，４１Ｒをコンパクトに設けるには、前記主駆動軸４０を左右の走行駆動軸３７Ｌ，３７Ｒ間に該走行駆動軸と同心配置し、左右の遊星歯車装置における左右の太陽歯車６７を主駆動軸上に固定設置するのが好ましい。
【００１３】
主駆動軸４０を変速駆動することは、油圧伝動装置等の無段変速駆動装置のみ、又はギヤシフト式或は油圧クラッチ式等の有段変速装置のみによってもよいが、コンバイン等の作業車両においては該主駆動軸４０を変速駆動するための無段変速駆動装置２８と有段変速装置５２とを、互いに直列接続して設けるのが好ましい。すなわち油圧伝動装置等の無段変速装置は作業条件に最適した車速を確保できる点で有利であるが、低速域では出力回転数が比較的不安定である。
そこで上記のように有段変速装置を組合せ、車速のおおまかなレンジ、すなわち路上走行時、乾田作業時、湿田作業時等にそれぞれ適合した車速レンジを、有段変速装置によって設定し、無段変速駆動装置はその出力回転数が安定する回転域で車速の無段制御を行うように使用できることとするのである。最初に述べた従来技術においては本構造を採用できないことは、前述した通りである。
【００１４】
車両旋回用の前記可逆転回転駆動装置は低コストであり作用が確実である点で、可変容積形油圧ポンプ３３と定容積形油圧モータ３４を備えた油圧伝動装置３４に構成するのが、好ましい。
【００１５】
この発明の他の特徴と長所は、添付図面を参照して行う以下の説明から明瞭に理解できる。
【００１６】
【実施例】
図２は、本発明に係る走行装置の実施例を装備したコンバインを示している。
図示コンバインは通例のように左右のクローラ１により走行駆動され、機体前方の刈取部２で植立穀稈を刈取り、刈取られた穀稈について機体上の脱穀部３で脱穀して、穀粒は機体上の穀粒タンク４に収納し、排わらは機体後方の排わら処理装置（集束、結束、カッター装置又はその切替え式組合せ）５により処理するものとされている。
エンジン６は機体中寄りに設置され、該エンジンから入力伝動を受けるトランスミッション７が、エンジン６の前下方位置に配置されている。エンジン６の上前方側に座席８を備える操縦部９が配置されている。この操縦部９は車両操向用のステアリングホイール１０、車速制御用の主変速レバー１１及び副変速レバー１２、駐車ブレーキレバー１３等を備える。図２において１４はクローラ駆動輪１５を装備する車軸、１６は刈刃、１７は穀粒タンク４から穀粒を搬出するための揚穀装置である。
【００１７】
図３が前記トランスミッション７の外観を示し、図４，５がその主な内部構造を示している。これらの図に示すようにトランスミッション７は下方側に左側のケース部１９ａ、ほぼ板状の左右１対の中央ケース部１９ｂ，１９ｃ、及び右側下方部のケース部１９ｄより成るミッションケース１９を備え、右側中央ケース部１９ｃの上部側面に上方向きに突出する略Ｌ字形の厚手のプレート部材２０を装着し、このプレート部材２０の左側面上半部に角形のハウジング２１を、また右側面に該側面の全体にまたがるＬ字形のハウジング２２を、それぞれ装着してなるケーシング構造を有する。図５に示すようにハウジング２１，２２とプレート部材２０を貫通する入力軸２３を設けてあり、図１−３に示すように該入力軸２３にハウジング２１外で入力プーリ２４を嵌着して、エンジン６の出力プーリ６ａからベルト２５によって入力軸２３への入力伝動を行ってある。
図３，４に示すように左右の前記車軸１４は左右のケース部１９ａ，１９ｄ内から、該ケース部に取付けた左右のアクスルケース２６内を通して左右に突出させてある。
【００１８】
図４，５に示すように入力軸２３をポンプ軸とする油圧ポンプ２９，３３を、プレート部材２０の上半部左面及び右面に装着してハウジング２１，２２内に設置すると共に、ミッションケース１９内に突入させた出力軸３１，３５を備える油圧モータ３０，３４を、プレート部材２０の下半部右面に装着してハウジング２２内に設置している。各油圧ポンプ２９，３３は斜板２９ａ，３３ａの傾角を変更調節して油吐出量と吐出方向を変更自在である可変容積形のものに構成されており、斜板２９ａ，３３ａを傾動操作するための制御アーム２９ｂ，３３ｂは図３に示すように、ハウジング２１，２２外で斜板支軸に取付けられている。
油圧ポンプ２９と定容積形の油圧モータ３０とを流体接続して、図１に示す第１の油圧伝動装置２８が構成されており、また油圧ポンプ３３と定容積形の油圧モータ３４とを流体接続して図１に示す第２の油圧伝動装置３２が構成されている。
なお各油圧ポンプ２９，３３と各油圧モータ３０，３４間を接続する油路、及び各油圧伝動装置２８，３２に付設のバルブ類は、プレート部材２０内に設けてある。
【００１９】
図１，４に示すようにミッションケース１９内の下方位置で互いに同心配置した左右の走行駆動軸３７Ｌ，３７Ｒを設けてあり、左右の各走行駆動軸３７Ｌ，３７Ｒを左右の各歯車３８，３９減速機構によって左右の各車軸１４に対し接続してある。左右の走行駆動軸３７Ｌ，３７Ｒ間にはこれらの軸と同心配置の主駆動軸４０を配置してあり、この主駆動軸４０の回転を左右の遊星歯車装置４１Ｌ，４１Ｒによって減速して、左右の走行駆動軸３７Ｌ，３７Ｒに対し伝達することとされている。
【００２０】
そして、第１の油圧伝動装置２８は左右の走行駆動軸３７Ｌ，３７Ｒに対し、出力軸３１から主駆動軸４０と左右の遊星歯車装置４１Ｌ，４１Ｒを介して動力を伝達して車両を変速駆動するためのものとされ、また第２の油圧伝動装置３２は左右の走行駆動軸３７Ｌ，３７Ｒに対し選択的に、出力軸３５により左右の遊星歯車装置４１Ｌ，４１Ｒを利用し互いに逆方向の付加回転を付与し、もって左右の走行駆動軸３７Ｌ，３７Ｒに対し回転数差を与えて車両を旋回させるためのものとされている。
第１の油圧伝動装置２８のポンプ斜板操作用の制御アーム２９ｂは、図２に示す前記主変速レバー１１によって操作されるものとされ、第２の油圧伝動装置３２のポンプ斜板操作用の制御アーム３３ｂは図２に示す前記ステアリングホイール１０によって操作されるものとされている。
【００２１】
第１の油圧伝動装置２８の出力軸３１と主駆動軸４０間の伝動機構は、図１，４に示してあり、これらの軸３１，４０に平行するクラッチ軸４３、中間軸４４及び副変速軸４５を有する。
クラッチ軸４３は出力軸３１に対し、出力軸３１上の出力歯車４６をクラッチ軸４３上の歯車４７に対し噛合せて、出力軸３１に対し接続されている。クラッチ軸４３上には歯車４８を遊嵌設置して、中間軸４４上に固定設置の歯車４９に対し噛合せてあり、歯車４８を選択的にクラッチ軸４３に対し結合するためのクラッチ５０が、クラッチ軸４３上に設置されている。
このクラッチ５０はクラッチ軸４３上に固定設置したクラッチシリンダ５０ａと歯車４８のボス部とにそれぞれ摺動のみ自在に支持させた複数枚宛の摩擦エレメントを、ピストン５０ｂの押圧作用で摩擦係合させてクラッチ入りを得る油圧多板式のものに、構成されている。
クラッチ５０を入切制御する切換弁（図示せず）は車両のステップに装備された、図２に図示のクラッチペダル１００に対し、該ペダル１００を踏込むとクラッチ５０が切られるように接続してある。
【００２２】
中間軸４４と副変速軸４５間には機械式の副変速装置５２を、配設してある。この副変速装置５２は中間軸４４上に摺動のみ自在に設置したシフト歯車５３、中間軸４４上に遊嵌設置した２個の歯車５４，５５、副変速軸４５上に固定設置されシフト歯車５３を噛合せ可能である歯車５６、及び副変速軸４５上に固定設置され歯車５４，５５に対し噛合せてある２個の歯車５７，５８を、備える。
シフト歯車５３はその両側に設けたクラッチ爪を歯車５４，５５に設けたクラッチ爪に対し噛合せて、歯車５４，５５を中間軸４４に対し選択的に結合可能であるものに構成されている。
以上により、副変速装置５２は中間軸４４により副変速軸４５を、歯車５４，５７列を介し駆動する高速変速段（路上走行変速段）、歯車５３，５６列を介し駆動する中速変速段（乾田作業変速段）、及び歯車５５，５８列を介して駆動する低速変速段（湿田作業変速段）の、３段の変速段に切替え得るものとされている。
図６に示すように、ミッションケース１９の側壁を貫通させてある回転操作軸５９によりスライド操作されてシフト歯車５３をシフトさせるシフトフォーク６０を設けてあり、操作軸５９の外端に取付けた変速アーム６１は、図２に示す前記副変速レバー１２に対し接続されている。
【００２３】
図１，４に示すように副変速軸４５の上記歯車５８は、主駆動軸４０上に固定設置した大径の入力歯車６３に対し噛合せてある。副変速軸４５の一端はミッションケース１９の左側ケース部１９ａの外面上に形成したブレーキケース部内に突入させてあり、該ブレーキケース部内に副変速軸４５を制動するための駐車ブレーキ６４を、設けてある。
摩擦多板式のものに構成されカム軸６４ａ及びボール６４ｂを含むカム機構によって作動せしめられる該ブレーキ６４を制動操作するためのカム軸６４ａ外端のブレーキアーム６５は、図２に示す前記駐車ブレーキレバー１３に対し接続されている。
【００２４】
主駆動軸４０はしたがって、主変速レバー１１によって正逆転を含め無段に出力回転数を制御される第１の油圧伝動装置２８と、副変速レバー１２により３段に変速制御される副変速装置５２とにより変速駆動されるが、この主駆動軸４０と左右の走行駆動軸３７Ｌ，３７Ｒ間を接続する左右の遊星歯車装置４１Ｌ，４１Ｒは、次のようなものに構成されている。
【００２５】
すなわち図１，４、及び図４の一部を拡大して画いた図７に示すように各遊星歯車装置４１Ｌ，４１Ｒは通例のように太陽歯車６７、この太陽歯車６７の外周位置に設けた内歯々車６８、及びキャリア６９に遊転可能に軸支されて太陽歯車６７と内歯々車６８とに対し噛合せてある複数個（３個）の遊星歯車７０とを備えるが、先ず左右の太陽歯車６７は図８に示すように主駆動軸４０の外周面上に一体に連らねて形成した歯形４０ａにより構成され、同歯形４０ａに対応する内歯６７ａを入力歯車６３の中心穴内周面に形成し内歯６７ａを歯形４０ａに噛合せることにより入力歯車６３を主駆動軸４０上に嵌着してある。
入力歯車６３の軸線方向位置は、主駆動軸４０に嵌着する両側１対の止輪７５により規制することとしてある。
【００２６】
左右の各キャリア６９は左右の走行駆動３７Ｌ，３７Ｒにスプライン嵌めにより固定して設けてあり、入力歯車６３側に配置のリング６９ａをスペーサ６９ｂ及びボルト６９ｃを介しキャリア６９本体に連結し、リング６９ａにより抜止めしたピン６９ｄを設けて、該ピン６９ｄ上に遊星歯車７０を遊転自在に設けている。また内歯々車６８は通例のように太陽歯車６７の外周側に配置したリング７１の内周面に形成してあるが、左右のリング７１は、左右の走行駆動軸３７Ｌ，３７Ｒ上に、キャリア６９のボス部と一対宛のボールベアリング７２を介して遊嵌設置した左右のウォームホィール７３に、リング７１の内周面に形成した内歯７１ａとウォームホィール７３のボス部に形成した外歯７３ａを互いに噛合せることで、相対回転不能に支持させてある。
そして、リング７１に挿通したピン７４を内歯７１ａ及び外歯７３ａの側面に接当させてリング７１の抜止めを行い、もってリング７１を、ウォームホィール７３に対し放射方向で可動であるように支持している。
【００２７】
第２の油圧伝動装置３２の出力軸３５と左右の遊星歯車装置４１Ｌ，４１Ｒのリング７１間には、図１及び図５，６に示す伝動装置７６を設けてある。すなわち出力軸３５に平行する支軸７７及び駆動軸７８を設け、出力軸３５上に固定設置した歯車７９を支軸７７上に遊嵌設置した歯車８０に対し噛合せると共に、後者の歯車８０を駆動軸７８上に固定設置した歯車８１に対し噛合せて、駆動軸７８がモータ出力軸３５により減速回転駆動されることとしている。
また、駆動軸７８の両端外方位置に前後方向に沿わせた左右の伝動軸８２を配置して、該左右の伝動軸８２に、左右のリング７１と一体回転する左右の上記ウォームホィール７３と噛合せる左右のウォームギヤ８３を、一体形成してある。
そして駆動軸７８の両端にスプライン嵌めして固定した左右の傘歯車８４を左右の伝動軸８２の一端部にスプライン嵌めして固定した傘歯車８５に対し噛合せてなる左右の傘歯車伝動機構８６を設けて、駆動軸７８により左右の伝動軸８２が互いに等速で逆方向に回転駆動されることとしている。
【００２８】
したがって第２の油圧伝動装置３２の出力軸３５と左右の遊星歯車装置４１Ｌ，４１Ｒの左右のリング７１間に配設された伝動装置７６は、出力軸３５の回転を左右のリング７１に対し互いに回転方向を逆にして伝達するものとなっている。また左右のウォームギヤ８３とウォームホィール７３からなる左右のウォーム伝動機構は、左右の伝動軸８２から左右のリング７１方向へは動力を伝達するがその逆方向の動力伝達は不能であるから、第２の油圧伝動装置３２ないしその油圧ポンプ３３が中立状態にあるときに左右のリング７１を回転不能にロックする。
【００２９】
なお、図２に示す前記刈取部２を駆動するためには図１，３に示すように、ミッションケース１９内から外部に突出させたＰＴＯ軸８９を設け、このＰＴＯ軸８９上に一方向クラッチ９０を介してＰＴＯプーリ９１を設置し、該プーリ９１と刈取部２の入力プーリ９２間にベルト９３を巻回している。
そして、図１に示すようにミッションケース１９内で第１の油圧伝動装置２８の出力軸３１とＰＴＯ軸８９間に中間軸９４を設け、出力軸３１上の前記出力歯車４６と噛合せた歯車９５を中間軸９４上に設けると共に、中間軸９４とＰＴＯ軸８９間を歯車９６，９７により減速接続している。
上記一方向クラッチ９０は出力軸３１が車両前進方向に回転せしめられるときにのみ係合し、プーリ９１をＰＴＯ軸８９に対し結合するものとされている。図２の刈取部２からはさらに脱穀部３、排わら処理装置５等へ駆動力が伝達される。
【００３０】
以上に説明した軸及び歯車の上下方向及び前後方向での配置は、トランスミッション７を右側から見て画いた図７に示されている。なお図７において伝動軸８２は、９０度位相をずらして図示されている。
【００３１】
図２に示すコンバインはその走行条件に応じ副変速レバー１２により図１，４に図示の副変速装置５２に路上走行時には高速、乾田作業時には中速、湿田作業時には低速の変速段を選択セットし、主変速レバー１１により図１及び図４，５に図示の第１の油圧伝動装置２８のポンプ斜板２９ａを操作し進行方向の制御を含め車速を無段に変更制御して、走行せしめられる。
車両の直進時にはステアリングホイール１０による図１，５に図示の第２の油圧伝動装置３２のポンプ斜板３３ａ操作は行われず、同油圧伝動装置３２は中立状態に維持され、このとき前述したように左右の遊星歯車装置４１Ｌ，４１Ｒのリング７１は左右のウォーム伝動機構により回転変位不能に拘束されている。
【００３２】
図９の（Ｌ），（Ｒ）は左右の遊星歯車装置４１Ｌ，４１Ｒを模式的に示している。
第１の油圧伝動装置２８の油圧モータ３０が正転している状態では太陽歯車６７が矢印Ａ方向に回転し、これにより各遊星歯車７０が矢印Ｂ方向に自転しつつ矢印Ｃ方向に、図９では図示省略のキャリア６９を回転させつつ公転する。この場合にキャリア及び各走行駆動軸３７Ｌ，３７Ｒに与えられる回転数Ｒは、太陽歯車６７の回転数を１とし、太陽歯車６７の歯数をＮ1 、内歯々車６８の歯数をＮ2 とすると、Ｒ＝Ｎ1 ／（Ｎ1 ＋Ｎ2 ）で与えられるから、歯数Ｎ2 を適当に設定しておくことで大幅な減速が得られる。油圧モータ３０の逆転時には回転方向が逆になるのみで、上記したのと事情は等しい。
【００３３】
車両の前進中にステアリングホイール１０を回動操作し第２の油圧伝動装置３２の油圧モータ３４を正転方向に回転させるときは、図１，５に示す伝動装置７６の駆動軸７８により、左側の傘歯車伝動機構８６を介し、左側の遊星歯車装置４１Ｌのリング７１には矢印Ｄ1 方向の回転が与えられ、また右側の傘歯車伝動機構８６を介し右側の遊星歯車装置４１Ｒのリング７１には矢印Ｄ2 方向の回転が与えられる。
左側のリング７１の矢印Ｄ1 方向への回転によってはその回転速度分だけ遊星歯車７０の矢印Ｃ方向への回転数、したがって左側キャリア６９及び走行駆動軸３７Ｌの回転数が減少され、逆に右側のリング７１の矢印Ｄ2 方向への回転によってはその回転速度分だけ遊星歯車７０の矢印Ｃ方向への回転数、したがって右側キャリア６９及び走行駆動軸３７Ｒの回転数が増加される。
したがって車両は左旋回せしめられ、その旋回半径はステアリングホイール１０の操作量を加減し油圧モータ３４の回転数を制御することによって、自在に選択できる。車両前進中の右旋回、後進中の左又は右旋回も類似して得ることができる。
【００３４】
前述したようにウォームホィール７３に相対回転不能に支持させたリング７１の軸線方向への抜止めを図７のピン７４により得て、リング７１を放射方向で可動に支持していることによっては、何れかの遊星歯車７０が内歯々車６８に対し偏心した状態で噛合いすることがリング７１の放射方向での逃げにより防止され、複数遊星歯車７０に動力が等配分されて歯車の損傷とか遊星歯車装置での振動、騒音の発生とかが無くされる。
【００３５】
以上に説明した実施例では左右の走行駆動軸３７Ｌ，３７Ｒに対し左右の遊星歯車装置４１Ｌ，４１Ｒを介し伝動する主駆動軸４０の変速回転を、無段変速駆動装置の一例である第１の油圧伝動装置２８と機械式有段の副変速装置５２との組合せによって得たが、後者の副変速装置５２を省略してよいのはもとより、逆に無段変速装置を省略し有段の変速機構のみによって主駆動軸４０の変速回転を得ることも可能である。また以上の実施例では車両旋回のための駆動源として第２の油圧伝動装置３２を用いたが、可逆転の無段変速電動モータのような駆動源を用いることも可能である。図１０はこのような例に係る第２の実施例を示している。
【００３６】
図１０に示す第２の実施例は主駆動軸４０を変速駆動するのに、機械式３段の副変速装置１０１と前進３速，後進１速の４段の変速段を有する油圧クラッチ式の主変速装置１０２とを用いている。また車両旋回のための駆動源として、可逆転無段変速電動モータ１０３を用いている。
【００３７】
図１０において１０５はエンジン６から前述同様の機構で入力される入力軸であり、副変速装置１０１は該入力軸１０５とそれに平行な副変速軸１０６間に配設されている。入力軸１０５上にはシフト歯車１０７を摺動のみ自在に設置してあると共に、該シフト歯車１０７のシフトによって入力軸１０５に対しクラッチ結合される２個の歯車１０８，１０９を遊嵌設置してある。副変速軸１０６上にはシフト歯車１０７を噛合せ得る歯車１１０、及び歯車１０８，１０９に対しそれぞれ噛合された歯車１１１，１１２を固定設置してある。したがって副変速装置１０１は、シフト歯車１０７のシフト操作により３段の変速を得るものに構成されている。
【００３８】
上記各軸１０５，１０６に平行する２本のクラッチ軸１１４，１１５と出力軸１１６を設け、クラッチ軸１１４上には２個の歯車１１８，１１９と該歯車をクラッチ軸１１４に対し選択的に結合するための２個の油圧クラッチＣＦ1 ，ＣＦ2 とを設置し、クラッチ軸１１５上には２個の歯車１２０，１２１と該歯車をクラッチ軸１１５に対し選択的に結合するための２個の油圧クラッチＣＦ3 ，ＣＲとを設置している。歯車１１８は副変速軸１０６に嵌着の歯車１２２と噛合されて前進方向に回転し、歯車１１９，１２０は副変速軸１０６に嵌着の歯車１２３と噛合されて前進方向に回転する。歯車１２１はクラッチ軸１１４上の上記歯車１１８と噛合されて、後進方向に回転する。クラッチ軸１１４，１１５に嵌着した歯車１２５，１２６を出力軸１１６に嵌着した歯車１２７に対し噛合せ、油圧クラッチ式の主変速装置１０２による変速回転を出力軸１１６に得ることとされている。出力軸１１６には油圧クラッチＣＦ1 ，ＣＦ2 ，ＣＦ3 の各作動によって前進１速、前進２速、前進３速が得られ、油圧クラッチＣＲの作動によって後進１速が得られる。
【００３９】
出力軸１１６はそれに嵌着した歯車１２８を前記のもの同様の主駆動軸４０上の入力歯車６３に対し噛合せて、主駆動軸４０を減速駆動するものとされている。なお出力軸１１６には、内拡式の走行ブレーキ１３０を配設してある。
【００４０】
以上よりして図１０に図示の主駆動軸４０は副変速装置１０１と主変速装置１０２の組合せにより前進９段、後進３段に変速駆動されるが、この主駆動軸４０と左右の走行駆動軸３７Ｌ，３７Ｒ間には前述のものと全く同様の左右の遊星歯車装置４１Ｌ，４１Ｒを配設してある。
【００４１】
図１０の第２の実施例において可逆転の無段変速電動モータ１０３と左右の遊星歯車装置４１Ｌ，４１Ｒの左右のリング７１間に設けられた伝動装置７６は、前述のもの同様の駆動軸７８、左右の傘歯車伝動機構８６、及びそれぞれウォームギヤ８３とウォームホィール７３とを噛合せてなる左右のウォーム伝動機構を、備える。モータ出力軸１３２上には歯車１３３が固定設置され、駆動軸７８に嵌着したより大径の歯車８１と噛合されている。
【図面の簡単な説明】
【図１】この発明の第１の実施例を装備したコンバインにおける伝動機構を示す機構図である。
【図２】上記コンバインの概略側面図である。
【図３】上記コンバインに設けられたトランスミッションの外観を示す概略斜視図である。
【図４】上記トランスミッションの一部展開縦断背面図である。
【図５】上記トランスミッションの他の切断面に沿う一部省略、一部展開縦断背面図である。
【図６】上記トランスミッションにおける軸及び歯車配置を示す一部縦断、一部展開側面図である。
【図７】図４の一部分を拡大して示す拡大図である。
【図８】図４，７に示した主駆動軸と入力歯車の概略分解斜視図である。
【図９】作用を説明するための、遊星歯車装置の模式図である。
【図１０】第２の実施例を示す機構図である。
【符号の説明】
１  クローラ
６  エンジン
１５  車軸
１９  ミッションケース
２０  プレート部材
２８  第１の油圧伝動装置
３０  油圧モータ
３２  第２の油圧伝動装置
３３  油圧ポンプ
３４  油圧モータ
３５  出力軸
３７Ｌ，３７Ｒ  走行駆動軸
４０  主駆動軸
４１Ｌ，４１Ｒ  遊星歯車装置
５２  副変速装置
６７  太陽歯車
６８  内歯々車
６９  キャリア
７０  遊星歯車
７１  リング
７３  ウォームホィール
７６  伝動装置
７８  駆動軸
７９，８０，８１  歯車
８２  伝動軸
８３  ウォームギヤ
８４，８５  傘歯車
８６  傘歯車伝動機構
１０１  副変速装置
１０２  主変速装置
１０３  可逆転無段変速電動モータ
【図１】
0003612593.tif 000002
【図２】
0003612593.tif 000003
【図３】
0003612593.tif 000004
【図４】
0003612593.tif 000005
【図５】
0003612593.tif 000006
【図６】
0003612593.tif 000007
【図７】
0003612593.tif 000008
【図８】
0003612593.tif 000009
【図９】
0003612593.tif 000010
【図１０】
0003612593.tif 000011